(57)【要約】【課題】操作者が入力デバイスの位置やそれにどのような動作を加えるかを意識せずに操作が行えること。【解決手段】操作端末を移動部６、位置検出部７、処理部５、通信部２０、ディスプレイ１、位置テーブル５０を具備する構成とする。操作者が操作端末自身を動かすことにより、移動部６が操作端末内部の空洞内を移動する。その位置は位置検出部７により検出され、当該位置の情報が処理部５に送出される。処理部５では位置テーブル５０を参照することにより、位置の情報は３次元の位置座標に変換される。そして、処理部５は、位置座標の変化に基づいて通信部２０に操作対象への命令を送るとともにディスプレイ１に画像を表示させる。操作者は以上のように操作端末の入力デバイスの位置やそれにどのような動作を加えるかを意識せずに操作が行える。【選択図】図２
2006221225.tif 000002
【特許請求の範囲】
【請求項１】
操作端末自体を回転させる操作、振る操作、傾斜させる操作のうち
少なくとも一つを受付けて、処理を行う操作端末であって
内部に設けられた空洞部と、
前記空洞部内を移動可能な部材である移動部と、
前記空洞部内表面に設けられ、前記部材の位置を検出する検出部と、
前記検出部より検出結果を受信して処理を行う処理部を
備えることを特徴とする操作端末。
【請求項２】
前記空洞部はドーナツ形状であることを特徴とする請求項１に記載の操作端末。
【請求項３】
前記空洞部は、一つまたは複数の支持体により固定された球体により構成されることを特徴とする請求項１記載の操作端末。
【請求項４】
前記空洞部は球形状の空洞であることを特徴とする請求項１に記載の操作端末。
【請求項５】
前記空洞部は円盤形状の空洞であることを特徴とする請求項１に記載の操作端末。
【請求項６】
前記空洞部は、下面を凹面状とし
上面を凹面状、平面状または凸面状とした円盤状の空洞であることを特徴とする
請求項１に記載の操作端末。
【請求項７】
前記空洞部は、下面を凸面状とし
上面を凹面状、平面状または凸面状とした円盤状の空洞であることを特徴とする
請求項１に記載の操作端末。
【請求項８】
前記空洞部は更に下面の外周部分に溝を持つ空洞であることを特徴とする
請求項５または請求項６に記載の操作端末。
【請求項９】
前記空洞部は更に
円の外周の手前部分に突起物を持つ空洞であることを特徴とする
請求項５または請求項６に記載の操作端末。
【請求項１０】
前記空洞部は更に
空洞部内表面に一つまたは複数のくぼみを持つことを特徴とする
請求項１に記載の操作端末。
【請求項１１】
前記空洞部は更に
実質的に透明状の筐体の内部に形成された空洞であり、空洞部内が見えることを特徴とする
請求項１に記載の操作端末。
【請求項１２】
前記移動部と
前記移動部の位置する前記空洞内表面のうち
少なくとも一方が光ることを特徴とする
請求項１に記載の操作端末。
【発明の詳細な説明】
【技術分野】
【０００１】
本発明は操作端末自身を動かすことにより操作対象機器を操作するための情報を入力する操作端末に関する。
【背景技術】
【０００２】
近年の電子機器の高機能化に伴い、ユーザが操作を行う項目も増える傾向にある。
【０００３】
たとえば、携帯電話の場合でも、ユーザがメニュー選択操作、音量調節操作、ゲーム操作など各種操作を行う構成が一般的になっている。カーソルボタンや決定ボタンなど一動作で一つの情報しか扱えない入力デバイスでは、ユーザが操作を行う項目が増えれば増えるほどそのキーは増え、煩雑な操作を余儀なくされる。そのため、ジョグダイヤルやジョグシャトル、ロールナビボタン、タッチパッド、トラックボール、アナログボタン等のような一動作で複数の情報が得られる入力デバイスが用いられるようになりつつある。たとえば、特許文献１には、ジョグシャトルを用いた操作端末が開示されている。一方、特許文献２には、ジョグダイヤルを用いた情報入力操作ユニットが開示されている。
【特許文献１】特開２００１−１４３５７６号公報（図１）
【特許文献２】特開２００１−２９６９５３号公報（図１）
【発明の開示】
【発明が解決しようとする課題】
【０００４】
しかし、前記のジョグダイヤルやジョグシャトル、ロールナビボタン、タッチパッド、トラックボール、アナログボタン等の操作端末では、まず、入力デバイス部がどこにあるかを目視または手探りで確認し、次にそれに対しどのような操作をどのくらいの量（移動量等）で行うかを考えて、操作しなければならず、使用者にとっては煩わしいものであった。特に、高齢者等この種の入力デバイスの操作に習熟していない者にとっては、この問題は顕著である。
【０００５】
本発明は、上記従来の問題を解決するもので、入力デバイス部の位置やそれにどのような操作を加えるかを意識せずに、振る、回転するなど記憶しやすく簡単な動作を操作端末自体に与えれば、所望の指示を操作端末に与えることができる操作端末を提供することを目的とする。
【課題を解決するための手段】
【０００６】
本願の請求項１ないし１０記載の操作端末は操作端末自体を回転させる操作、振る操作、傾斜させる操作のうち少なくとも一つを受付けて、処理を行う操作端末であって内部に設けられた空洞部と、前記空洞内を移動可能な部材である移動部と、前記空洞内表面に設けられ、前記部材の位置を検出する検出部と、前記検出部より検出結果を受信して処理を行う処理部を備えるものである。
【０００７】
本構成によって、入力デバイス部の位置やそれにどのような操作を加えるかを意識せずに、振る、回転するなど記憶しやすく簡単な動作を操作端末自体に与えれば、所望の指示を操作端末に与えることができる。
【０００８】
本願の請求項１１記載の操作端末は、前記空洞部は更に実質的に透明状の筐体により構成された空洞であり、空洞部内が見えることを特徴としている。
【０００９】
また、本願の請求項１２記載の操作端末は、前記移動部と前記移動部の位置する前記空洞内表面の内少なくとも一方が光ることを特徴としている。
【００１０】
よって本願の請求項１１、１２記載の操作端末は更に移動部の位置を目視できるためユーザの意思通りに操作できているかどうかを確認しながら操作することができる。
【発明の効果】
【００１１】
以上のように、本発明の操作端末によると、入力デバイス部の位置やそれにどのような操作を加えるかを意識せずに、振る、回転するなど記憶しやすく簡単な動作を操作端末自体に与えれば、所望の指示を操作端末に与えることができる。
【発明を実施するための最良の形態】
【００１２】
以下本発明の実施の形態について、図面を参照しながら説明する。
【００１３】
（実施の形態１）
図１は、本発明の実施の形態１における操作端末の外観を示す正面図である。この操作端末は携帯型であり、使用者が片手で持って、傾ける、回転する等の操作ができる大きさ及び重量となっている。ボタン１は電源ＯＮ／ＯＦＦに用いる。ディスプレイ２は映像や文字を表示する。
【００１４】
図２は、操作端末全体のブロック図である。操作端末は、図２に示すように、移動部６、位置検出部７、処理部５、通信部２０、ディスプレイ１、さらに位置テーブル５０を具備している。移動部６は、内部が空洞になった位置検出部７の内部を自由に移動する部材であり、操作者が、操作端末に対し、傾ける、回転させる、振る等の操作を加えると移動し、位置検出部７の内部の壁面に接触する構成となっている。位置検出部７は、移動部６が壁面に接触したことを検知してその位置を検出し、当該位置に関する情報を処理部５に送出するものである。位置検出部７より、処理部５が受信した位置に関する情報は、位置テーブル５０を参照することにより、３次元の座標値に変換される。通信部２０は、操作対象機器（図示せず。）より操作端末への通信（操作対象機器の状態を表す情報等）を受信して処理部５に送出するともに、処理部５より、操作対象に指示を与える信号を受信して、操作対象機器に送信するものである。操作対象機器としては、テレビ放送受信機器、オーディオセット、空調用機器等種々の機器が考えられる。なお、通信部２０と操作対象機器の間の通信は、無線通信でも有線通信でもよい。処理部５は、位置検出部７より、移動部６の位置に関する情報を受信して、当該情報及び通信部２０より受信した、操作対象の状態に関する情報に基づき操作対象への指示を与える情報を生成し、通信部２０に送出するとともに、ディスプレイ１に表示する画像情報を生成して、ディスプレイ１に送出する。ディスプレイ１は、処理部５より受信した画像情報を表示するものである。
【００１５】
図３は、操作端末の断面図（上から見た断面図及び横から見た断面図）である。図３には、この操作端末の構成要素のうち、処理部５、移動部６、位置検出部７が図示されている。位置検出部７の内部は直方体状の空洞になっており、移動部６が自由に内部を移動できるようになっている。操作者はこの操作端末を回転させたり、振ったり、傾けたりして操作を加える。その操作により、移動部６が空洞内を自由に動き回る。その移動部６の位置は、位置検出部７により検出される。
【００１６】
図４は、位置検出部７の空洞内表面の一つの詳細な構成を示す説明図である。空洞は直方体状であるので、空洞内表面は矩形状であり、全部で６面からなる。
【００１７】
図４に示すように空洞内表面には圧力センサー８が複数個並べられている。圧力センサー８にはそれぞれ番号を割り当て、移動部６が接触する度に圧力センサー８の番号が位置検出部７から処理部５に伝わる。
【００１８】
図５は、位置テーブル５０のデータ構造を示す説明図である。圧力センサーの番号それぞれに対して座標位置（Ｘ，Ｙ，Ｚ）の値が定義されている。５１は、１番目の圧力センサーに対応するエントリーであり、１番目の圧力センサーのＸ座標、Ｙ座標、Ｚ座標がともに１であることが示されている。５２は、２番目の圧力センサーであり、２番目の圧力センサーのＸ座標値、Ｙ座標値、Ｚ座標値がそれぞれ２，１，１であることが示されている。
【００１９】
図６は、処理部５の動作を示すフローチャート（その１）であり、ステップＳ１からステップＳ４までで構成されている。
【００２０】
図７は、操作者が操作端末を傾ける前と後のディスプレイ表示の状態を示す図である。すなわち、７１は、操作端末を傾ける前のディスプレイ表示の状態を示し、７２は操作端末を傾けた後のディスプレイ表示の状態を示す。
【００２１】
図８は、処理部５の動作を示すフローチャート（その２）であり、ステップＳ７からステップＳ１０までで構成されている。
【００２２】
以上のように構成された、操作端末について、以下にその動作を説明する。
【００２３】
まず、処理部５の機能について図６のフローチャートを用いて説明する。最初に、ステップＳ１に示すように、位置検出部７から現在の圧力センサー８の番号を受信する。次に、ステップＳ２に示すように圧力センサー８の番号と図６に示す位置テーブルを用いて座標位置（Ｘ１，Ｙ１，Ｚ１）を取得する。ステップＳ３で前回の座標位置（Ｘ２，Ｙ２，Ｚ２）と現在の座標位置（Ｘ１，Ｙ１，Ｚ１）を比較し、移動量（ΔＸ，ΔＹ，ΔＺ）を計算する。ステップＳ４で、その移動量に対し図７に示すように、文字又は映像等を移動してディスプレイに表示する。
【００２４】
次に、操作対象機器を操作端末により操作する場合の操作端末の動作について、具体的に説明する。いま、操作対象機器は、テレビ放送受信機であり、操作端末により、音量の調節を行うようになっており、操作者が右下に操作端末を傾けると音量が増加し、左下に傾けると、音量が減少する構成になっているとする。このような構成とするためには、Ｘ座標を操作端末の水平方向に設定し、真上から見て右方向を座標値が大きくなるようにし移動部６のＸ座標の変化量ΔＸが正のとき、音量を増加させ、ΔＸが負のとき音量を減少させる構成としておけばよい。さらに、音量を変化させる方向を視覚的に理解しやすくするためには、図７に示すように、移動部６の位置に応じて、立方体の見取り図状のアイコンの表示位置を変化させる構成としておけばよい。
【００２５】
いま、操作者が、音量を増加させることを所望しているとする。この場合は、操作者は、操作端末を右下に傾ける動作を行えばよい。操作者が右下および手前方向に操作端末を傾けたとすると、移動部６は図４に示すＸ軸の正方向に移動する。操作端末は、これを検知して、図６に示す、ディスプレイ１に表示された文字または映像を移動する処理を行うとともに、図８に示す音量を変化させる処理を行う。移動部６がＸ軸の正方向に移動すると、たとえば、移動部６が接触する圧力センサー８が１番から２番に変わる。そして、図６に示すステップＳ１に示すように、処理部５は、現在移動部６が接触した圧力センサー番号を受信する。そして、次のステップＳ２において、処理部５は、受信した圧力センサー番号に基づいて、位置テーブル５０を検索し、当該圧力センサーのＸ，Ｙ，Ｚ座標を取得する。そして、次のステップＳ３では現在の圧力センサーの座標位置（Ｘ１，Ｙ１，Ｚ１）から前回の圧力センサーの座標位置を減算し、移動量を計算する。たとえば、ΔＸ＝Ｘ１−Ｘ２と算出される。そして、アイコンの表示位置を、ΔＸ，ΔＹ、ΔＸだけ移動して表示する。今の例ではアイコンは、右に１単位だけ移動して表示される。
【００２６】
次に、処理部５が行う音量調節の処理について図８を参照しながら説明する。まず、ステップＳ７において、現在の圧力センサーの座標値（Ｘ１，Ｙ１，Ｚ１）と前回の圧力センサーの座標値（Ｘ２，Ｙ２，Ｚ２）から、移動量（ΔＸ，ΔＹ，ΔＺ）を計算する。移動量は、現在の座標値から前回の座標値を減算することにより求めることができる。
【００２７】
まず、ステップＳ８においては、ΔＸを０と比較し、正か負か０かを判別する。もし、ΔＸが正であるなら、ステップＳ９に進む。ステップＳ９では、処理部５は、音量をあげることを操作対象機器に指示する信号を、通信部２０に送出する。当該信号を受けた通信部２０は、音量をあがることを指示する信号を操作対象機器であるテレビ受信機に送信し、テレビ受信機は音量をあがる処理を行う。音量の変化量は、ΔＸの絶対値に応じて設定される。たとえば、ΔＸが１の場合は１単位（たとえば１ｄｂ）増加させ、−１の場合は１単位減少させる構成としておく。いまの例では、ΔＸは、１であるので、音量は１単位増加する。
【００２８】
以上、音量を増加させる処理について、説明したが、音量を減少させる場合は、操作者が操作端末を左下に傾斜させれば、移動部６が左方向（Ｘ軸の負方向）に移動し、ΔＸには負の値が設定されるので、ステップＳ８からは、ステップＳ１０に進み音量を下げる処理が行なわれる。
【００２９】
たとえば、操作者が左に操作端末を傾け、接触する圧力センサーが２番から１番に変わったとするとそれが処理部５に伝わり位置テーブルを用いて座標位置が取得される。圧力センサー２番の座標（２，１，１）、圧力センサー１番の座標（１，１，１）よりΔＸ＝−１、ΔＹ＝０、ΔＺ＝０という結果が得られる。ΔＸが０より小さいため、音量を１単位減らす。
【００３０】
なお、移動部６のＹ方向またはＺ方向への移動については、アイコンの移動には反映されるが、音量の変更には無関係である。もし、操作者が操作端末を右下に傾けるとともに、手前方向と反対側（Ｙ軸の方向）に傾ける操作を行ったとして、前回、移動部６が接触した圧力センサーが１番であり、今回接触した圧力センサーが７番だとすると、ΔＸ＝２−１＝１、ΔＹ＝２−１＝１となるので、アイコンは、右方向に１単位移動して表示され、音量は同様に１単位増加する。
【００３１】
以上のように、本実施の形態によると、操作端末自体を右に傾斜させる、あるいは、左に傾斜させるという簡単な操作により、操作対象機器の音量を調節することができる。
【００３２】
なお、図１に示す操作端末の外観が一例であって、ボタン、ディスプレイ等は他の形状、配置でもよく、ボタン、ディスプレイを具備しない構成としてもよい。
【００３３】
また、上記に説明した圧力センサーのよる位置判断の方法は一例であって、移動部の位置が検出できる方法であれば、他の方法を用いてもよい。
【００３４】
また、操作端末の外部に操作対象機器が設置されている構成として、説明したが、携帯電話等のように、操作端末と操作対象機器が同じ筐体に格納された構成であってもよい。
【００３５】
また、上記の例では、移動部６のＸ軸方向の移動のみを用いて、操作対象機器の操作を行う構成としたが、Ｙ軸方向の移動、Ｚ軸方向の移動も、操作対象機器の操作に利用する構成としてもよい。たとえば、操作対象機器が、テレビ放送受信機の場合、Ｙ軸方向の移動で、受信チャンネルの選択を行い、Ｚ軸方向の移動で画像表示の明度を調節する構成としてもよい。
【００３６】
（実施の形態２）
次に、本発明の実施の形態２について、図面を参照しながら説明する。
【００３７】
図９は本発明の実施の形態２における操作端末の断面図（上から見た断面図及び横から見た断面図）である。本実施の形態の特徴は、図９に示すように位置検出部７の内部の壁面がドーナツ状の空洞を形成している点である。その他の構成は、実施の形態１と同様であるので、実施の形態１で説明した部分については省略する。実施の形態１との違いは図９に示すように空洞部の形状である。よって、その部分を中心に説明する。
【００３８】
図９は位置検出部７の内部がドーナツ形状の空洞になっている。そのため、空洞内表面は大円から小円をくり抜いた形の上下の面と内部円柱側面、外部円柱側面の合計４面からなる。これらの面すべてに圧力センサー８が実施の形態１について図４に示す矩形状の場合と同様に複数個並べられている。このように複数個並べられた圧力センサー８に移動部６が接触することで位置判断する位置検出部７より、処理部５が受信した情報は、位置テーブル５０を参照することにより、３次元の座標値に変換され実施の形態１と同様の処理となる。
【００３９】
空洞がドーナツ形状である利点は操作者にとって、移動部６をこのドーナツ形に沿って移動させる回転操作を比較的容易に実行できることである。
【００４０】
たとえば、操作端末を、音楽再生機の操作に用いて、右回転であれば音楽の早送り、左回転であれば巻き戻し調節を行い、操作者が回転させる回転数に、早送り、巻き戻しの量が比例する構成とすることが考えられる。そうすると、使用者の動作と、操作対象である音楽再生機の動作が対応するので、操作者にとって、操作方法が直感的に理解しやすい操作端末を実現することができる。
【００４１】
（実施の形態３）
次に、本発明の実施の形態３について、図面を参照しながら説明する。
【００４２】
図１０は本発明の実施の形態３における断面図（上から見た断面図及び横から見た断面図）である。本実施の形態の特徴は、位置検出部７の内部の壁面が球形状の空洞を形成しており、その中心部に支持体１０により固定された球体９が位置していることである。その他の構成については実施の形態１と同様である。図１０において、図３と同じ構成要素については説明を省略する。支持体１０は、球体９を固定でき、かつ、移動部６の移動に支障がなければ、その形状、位置、数について、図１０に示す例と異なる構成をとってもよい。
【００４３】
移動部６はこの空洞の中を移動することになる。本実施の形態では、空洞の球体があるため、回転操作が比較的容易に行えるという実施の形態２と同様の効果を奏するほか、実施の形態２と比べて空洞の直径を小さくすることができるので、操作端末の筐体自体をコンパクトにまとめることができるという利点がある。
【００４４】
（実施の形態４）
次に、本発明の実施４について、図面を参照しながら説明する。
【００４５】
図１１は本発明の実施の形態４における操作端末の断面図（上から見た断面図及び横から見た断面図）である。本実施の形態の特徴は、位置検出部７の壁面が球状の空洞を形成しており、移動部６が当該空洞の内部を自由に動くことができる点である。その他の構成については、実施の形態１と同様である。
【００４６】
図１１において、図３と同じ構成要素については説明を省略する。
【００４７】
図１１に示すように空洞部が球形状になっており、移動部はこの空洞の中を移動することができるので空洞面の球形に沿って回転操作が比較的容易に行える。さらに空洞内部には何もないため、移動部が自由に動きまわれ、振る操作も比較的容易に行える。
【００４８】
したがって、本実施の形態は、操作端末に回転操作に加えて振る操作を加えることにより、操作対象を操作する場合に適する。
【００４９】
（実施の形態５）
次に、本発明の実施５について、図面を参照しながら説明する。
【００５０】
図１２は本発明の実施の形態５における操作端末の断面図（上から見た断面図及び横から見た断面図）である。本実施の形態の特徴は、図１２に示すように空洞部が円盤形状になっており、移動部はこの空洞の中を移動することになる点である。その他の構成については、実施の形態１と同様である。円盤形状であるため、空洞面の円盤に沿って回転操作が比較的容易に行える。
【００５１】
（実施の形態６）
次に、本発明の実施の形態６について図面を参照しながら説明する。
【００５２】
図１３は本発明の実施の形態６における操作端末の断面図（上から見た断面図及び横から見た断面図）である。本実施の形態の特徴は、図１３に示すように位置検出部７の壁面が形成する空洞の下面が凹面状になっており、上面が凹面状（側面（１）に図示）、平面状（側面（２）に図示）、凸面状（側面（３）に図示）いずれかの形状になっていることである。移動部はこれらの空洞の中を移動することになる。下面が凹面状であるため、移動部の基本位置が下面の中心にあり上下左右等の傾ける操作が比較的容易に行える。
【００５３】
（実施の形態７）
次に、本実施の形態７について、図面を参照しながら説明する。
【００５４】
図１４は本発明の実施の形態７における操作端末の断面図（上から見た断面図及び横から見た断面図）である。
【００５５】
本実施の形態は、図１４に示すように位置検出部７の壁面が形成する空洞の下面が凸面状になっており、上面が凹面状（側面（１）に図示）、平面状（側面（２）に図示）、凸面状（側面（３）に図示）になっている点である。その他の構成については、実施の形態１と同様である。移動部はこれらの空洞の中を移動することになる。下面が凸面状の円形であるため側面に沿っての回転操作は比較的容易に行える。
【００５６】
（実施の形態８）
次に、本発明の実施の形態８について、図面を参照しながら説明する。
【００５７】
図１５は本発明の実施の形態８における操作端末の上から見た断面図と横から見た断面図である。図１５に示すように空洞部の下面の外周部に溝１１があり、移動部はこの溝１１のついた空洞部の中を移動することになる。その他の構成は、実施の形態１と同様である。
【００５８】
溝１１があるため、この溝１１に沿っての回転操作は比較的容易に行える。また、溝１１があるために溝１１から移動部６が出にくく、上下左右等の傾ける操作については操作者が操作量（傾斜角度）の大きい動作をしなければ、移動部が移動しないので、回転操作をしようとして傾斜操作をしてしまった場合、傾斜操作として受付けられる可能性を少なくすることができる。
【００５９】
（実施の形態９）
次に、本発明の実施の形態９について、図面を参照しながら説明する。
【００６０】
図１６は本発明の実施の形態９における操作端末の断面図（上から見た断面図及び横から見た断面図）である。図１６において、図３と同じ構成要素については説明を省略する。
【００６１】
図１６に示すように空洞部の円外周の手前部分に突起物１３があり、移動部６はこの空洞の中を移動することになる。
【００６２】
突起物１３があるため、この円に沿っての回転操作は比較的容易に行える。
【００６３】
また、突起物１３があるために突起物１３を乗り越えて移動部６が出なければ、上下左右等の傾ける操作が傾斜操作として検知されないため、回転操作をしようとして誤って操作端末を傾けてしてしまった場合、傾斜操作として受付けられる可能性を少なくすることができる。
【００６４】
（実施の形態１０）
次に、本発明の実施の形態１１について、図面を参照しながら説明する。
【００６５】
図１７は本発明の実施の形態９における操作端末の断面図（上から見た断面図及び横から見た断面図）である。
【００６６】
本実施の形態の特徴は、図１７に示すように空洞部内表面に複数のくぼみ１２があり、移動部６はこの空洞部の中を移動することになる点である。
【００６７】
くぼみ１２があるため、移動部はこのくぼみ１２に移動を妨げられながら移動する。そのため、移動スピードが遅くなり、移動させるのに操作を大きくしなければならず、誤って操作端末に触れた場合、操作として受付けられる可能性を少なくすることができる。
【００６８】
（実施の形態１１）
次に、本発明の実施の形態１１について説明する。
【００６９】
本実施の形態の特徴は、操作端末の筐体や内部の空洞部分が透明もしくは透明に近い状態としたことである。その他の構成は、実施の形態１と同様であり、操作端末の形態自体は、図３に示す実施の形態１と同様でもよいし、実施の形態２ないし１０のいずれかと同様でよいため、特に図示していない。筐体および空洞部分を透明または透明に近い状態としたため、ユーザが意思通りに移動部を移動できているか視覚的に確認しながら操作ができるため、誤操作が起こりにくい。
【００７０】
（実施の形態1２）
次に、本発明の実施の形態１２について説明する（図示せず）。
【００７１】
本実施の形態の特徴は、操作端末の筐体や内部の空洞部分が透明もしくは透明に近い状態としたことに加え、移動部６または位置検出部７の壁面が形成する空洞部の表面が光っているとする。
【００７２】
その他の構成は、実施の形態１と同様である。
【００７３】
ユーザが意思通りに移動部を移動できているか暗い場所でも確認しながら操作ができるため、誤操作が起こりにくい。
【産業上の利用可能性】
【００７４】
本発明にかかる操作端末は、振る,回転する、傾けるなど記憶しやすく簡単な動作を操作端末自体に与えれば、所望の指示を操作端末に与えることができるので、携帯電話、携帯端末、リモートコントロール装置等として有用である。
【図面の簡単な説明】
【００７５】
【図１】操作端末の外観を示す正面図
【図２】操作端末全体の信号の流れを表すブロック図
【図３】本発明の実施の形態１における操作端末の上から見た断面図と横から見た断面図
【図４】本発明の実施の形態１における位置検出部の構成を表す図
【図５】位置テーブルのデータ構造を表す図
【図６】本発明の実施の形態１における処理部のフローチャート（その１）
【図７】本発明の実施の形態１における操作端末のディスプレイ表示図
【図８】本発明の実施の形態１における処理部のフローチャート（その２）
【図９】本発明の実施の形態２における操作端末の上から見た断面図と横から見た断面図
【図１０】本発明の実施の形態３における操作端末の上から見た断面図と横から見た断面図
【図１１】本発明の実施の形態４における操作端末の上から見た断面図と横から見た断面図
【図１２】本発明の実施の形態５における操作端末の上から見た断面図と横から見た断面図
【図１３】本発明の実施の形態６における操作端末の上から見た断面図と横から見た断面図
【図１４】本発明の実施の形態７における操作端末の上から見た断面図と横から見た断面図
【図１５】本発明の実施の形態８における操作端末の上から見た断面図と横から見た断面図
【図１６】本発明の実施の形態９における操作端末の上から見た断面図と横から見た断面図
【図１７】本発明の実施の形態１０における操作端末の上から見た断面図と横から見た断面図
【符号の説明】
【００７６】
１    ディスプレイ
２    ボタン
５    処理部
６    移動部
７    位置検出部
８    圧力センサー
９    球体
１０    支持体
１１    溝
１２    くぼみ
２０    通信部
５０    位置テーブル
【図１】
2006221225.tif 000003
【図２】
2006221225.tif 000004
【図３】
2006221225.tif 000005
【図４】
2006221225.tif 000006
【図５】
2006221225.tif 000007
【図６】
2006221225.tif 000008
【図７】
2006221225.tif 000009
【図８】
2006221225.tif 000010
【図９】
2006221225.tif 000011
【図１０】
2006221225.tif 000012
【図１１】
2006221225.tif 000013
【図１２】
2006221225.tif 000014
【図１３】
2006221225.tif 000015
【図１４】
2006221225.tif 000016
【図１５】
2006221225.tif 000017
【図１６】
2006221225.tif 000018
【図１７】
2006221225.tif 000019